(57)【要約】【課題】  輝度ムラの発生を防止した上で製造工程の簡素化を図る。【解決手段】  画像が表示される表示パネル１５と、該表示パネルへ向けて光を出射するバックライトとしての光源２９が搭載された光源用基板２８と、該光源用基板を保持する保持フレーム１８と、該保持フレームに取り付けられ光源から出射された光を拡散する拡散部材３２とを設け、該拡散部材に保持フレームに取り付けられる被取付枠部３３と該被取付枠部の内側に位置され表示パネルの少なくとも中央部に照射される光を拡散する拡散部３４とを設けた。【選択図】        図３
2008109356.tif 000002
【特許請求の範囲】
【請求項１】
撮像装置に設けられ内部に所定のレンズが配置されたビューファインダーであって、
画像が表示される表示パネルと、
該表示パネルへ向けて光を出射するバックライトとしての光源が搭載された光源用基板と、
該光源用基板を保持する保持フレームと、
該保持フレームに取り付けられ光源から出射された光を拡散する拡散部材とを備え、
該拡散部材に保持フレームに取り付けられる被取付枠部と該被取付枠部の内側に位置され表示パネルの少なくとも中央部に照射される光を拡散する拡散部とを設けた
ことを特徴とするビューファインダー。
【請求項２】
上記保持フレームに光源から出射された光を反射する反射面を形成し、
保持フレームを白色の材料によって形成した
ことを特徴とする請求項１に記載のビューファインダー。
【請求項３】
上記拡散部材に、被取付枠部と拡散部を連結し被取付枠部の周方向に離隔して位置された複数の連結部を設けた
ことを特徴とする請求項１に記載のビューファインダー。
【請求項４】
上記拡散部の中央部を表示パネルの中央部に対向して位置させるようにした
ことを特徴とする請求項１に記載のビューファインダー。
【請求項５】
上記光源を表示パネルの中央部に対向して位置させるようにした
ことを特徴とする請求項１に記載のビューファインダー。
【発明の詳細な説明】
【技術分野】
【０００１】
本発明はビューファインダーについての技術分野に関する。詳しくは、輝度ムラの発生を防止した上で製造工程の簡素化を図る技術分野に関する。
【背景技術】
【０００２】
ビデオカメラ等の撮像装置には、撮影時に使用者が被写体を捉えるためのビューファインダーが設けられているものがある。このようなビューファインダーには、内部に所定のレンズ、表示パネル及びバックライトとしての光源が配置されている。
【０００３】
このような撮像装置にあっては、バックライトとして用いられた光源から表示パネルへ向けて光が出射されて表示パネルに表示される画像が視認可能とされている（例えば、特許文献１参照）。
【０００４】
撮像装置においては、光源から表示パネルへ向けて直接光が出射されるため、表示パネルにおける光源に対向する部分の輝度、例えば、表示パネルの中央部における輝度が他の部分より高くなり、輝度ムラが発生し易い。
【０００５】
このような輝度ムラの発生を防止するために、従来の撮像装置においては、複数のプリズムシートや拡散シート等を表示パネルと光源の間に配置したものがある。
【０００６】
【特許文献１】特開２００１−３０５５３５号公報
【発明の開示】
【発明が解決しようとする課題】
【０００７】
ところが、上記した従来の撮像装置においては、輝度ムラの発生を防止するために、プリズムシートや拡散シート等のシート状の部材を用いており、これらのシート状の部材は剛性が小さいため屈曲し易く、プリズムシートや拡散シート等の組付不良を引き起こすおそれがあった。
【０００８】
また、プリズムシートや拡散シートを屈曲させない状態で組み付ける必要があるため、組付に慎重を要するため、その分、組付作業に時間がかかり撮像装置の製造時間が長くなると言う問題もある。
【０００９】
そこで、本発明ビューファインダーは、輝度ムラの発生を防止した上で製造工程の簡素化を図ることを課題とする。
【課題を解決するための手段】
【００１０】
本発明ビューファインダーは、上記した課題を解決するために、画像が表示される表示パネルと、該表示パネルへ向けて光を出射するバックライトとしての光源が搭載された光源用基板と、該光源用基板を保持する保持フレームと、該保持フレームに取り付けられ光源から出射された光を拡散する拡散部材とを設け、該拡散部材に保持フレームに取り付けられる被取付枠部と該被取付枠部の内側に位置され表示パネルの少なくとも中央部に照射される光を拡散する拡散部とを設けたものである。
【００１１】
従って、本発明ビューファインダーにあっては、光源から出射された光が拡散部材で拡散されて表示パネルに入射される。
【発明の効果】
【００１２】
本発明ビューファインダーは、撮像装置に設けられ内部に所定のレンズが配置されたビューファインダーであって、画像が表示される表示パネルと、該表示パネルへ向けて光を出射するバックライトとしての光源が搭載された光源用基板と、該光源用基板を保持する保持フレームと、該保持フレームに取り付けられ光源から出射された光を拡散する拡散部材とを備え、該拡散部材に保持フレームに取り付けられる被取付枠部と該被取付枠部の内側に位置され表示パネルの少なくとも中央部に照射される光を拡散する拡散部とを設けたことを特徴とする。
【００１３】
従って、光源から出射された光が拡散部材で拡散されて表示パネルへ向かうため、表示パネルの一部の輝度が極端に高くなることがなく、輝度ムラの発生を防止することができる。
【００１４】
また、表示パネルと光源の間に輝度ムラの発生を防止するためのプリズムシートや拡散シート等の剛性の低いシート状の部材を配置する必要がなく、製造工程の簡素化による製造コストの低減を図ることができる。
【００１５】
請求項２に記載した発明にあっては、上記保持フレームに光源から出射された光を反射する反射面を形成し、保持フレームを白色の材料によって形成したので、光源から出射された光の反射面における反射率が高く、表示パネルに照射される光の利用効率の向上を図ることができる。
【００１６】
請求項３に記載した発明にあっては、上記拡散部材に、被取付枠部と拡散部を連結し被取付枠部の周方向に離隔して位置された複数の連結部を設けたので、拡散部の形状を被取付枠部の形状に即することなく自由に設計することが可能であり、設計の自由度の向上を図ることができる。
【００１７】
請求項４に記載した発明にあっては、上記拡散部の中央部を表示パネルの中央部に対向して位置させるようにしたので、輝度ムラの防止に関する効率化を図ることができる。
【００１８】
請求項５に記載した発明にあっては、上記光源を表示パネルの中央部に対向して位置させるようにしたので、輝度ムラの防止に関する効率化を図ることができる。
【発明を実施するための最良の形態】
【００１９】
以下に、本発明を実施するための最良の形態を添付図面に従って説明する。
【００２０】
以下に示した最良の形態は、本発明を撮像装置としてのビデオカメラに設けられたビューファインダーに適用したものである。尚、本発明の適用範囲はビデオカメラに設けられたビューファインダーに限られることはなく、被写体を撮影する各種の撮像装置に設けられたビューファインダーに広く適用することができる。
【００２１】
以下の説明にあっては、ビデオカメラの撮影時において撮影者（使用者）から見た方向で前後上下左右の方向を示すものとする。従って、被写体側を前方とし、撮影者側を後方とする。尚、以下に示す前後上下左右の方向は説明の便宜上のものであり、本発明の実施に関しては、これらの方向に限定されることはない。
【００２２】
撮像装置（ビデオカメラ）１は筐体２の内外に所要の各部が配置されて成る（図１参照）。
【００２３】
撮像装置１は、装置本体３と該装置本体３に開閉自在かつ回動自在に連結された表示部４と装置本体３の上方に設けられた把手５とを有している。
【００２４】
把手５の後端部にはビューファインダー６が回動自在に支持されている。ビューファインダー６は、例えば、前端部を支点として後端部が略上下へ移動する方向へ回動可能とされる。ビューファインダー６は、図２に示すように、例えば、本体部７と該本体部７に対して着脱可能とされた装着部８とから成る。
【００２５】
本体部７は、後方に開口された底の深い椀状に形成された外筐ホルダー９と該外筐ホルダー９の開口を閉塞するように配置された結合部材１０とを有している。
【００２６】
本体部７の内部には、結合部材１０の前側に支持ホルダー１１が配置されている（図３及び図４参照）。支持ホルダー１１は結合部材１０の前面に取り付けられ、横長の略楕円形状に形成された基面部１２と該基面部１２から前方へ突出された取付部１３と該取付部１３から前方へ突出された保持枠部１４とを有している。
【００２７】
取付部１３の前面には前後に貫通された視認孔１３ａが形成されている。取付部１３の前面における左右両端部からは、それぞれ前方へ突出された結合用突片１３ｂ、１３ｂが設けられている。
【００２８】
保持枠部１４は視認孔１３ａより一回り大きくされた横長の略矩形の枠状に形成され、左右両側面部がそれぞれ結合用突片１３ｂ、１３ｂの内側に位置され、上面部に前方に開口された挿通用切欠１４ａを有している。
【００２９】
保持枠部１４の内側には表示パネル１５が挿入されて配置される（図３乃至図５参照）。表示パネル１５は、例えば、液晶パネルであり、上面にフレキシブルプリント配線板である接続基板１６が接続されている。
【００３０】
表示パネル１５の前面には枠状のシート部材１７が配置される。シート部材１７はクッションの役割を果たす。
【００３１】
支持ホルダー１１には保持フレーム１８が取り付けられる。保持フレーム１８は、例えば、ポリカーボネート、ＡＢＳ（アクリロニトリル・ブタジエン・スチレン共重合樹脂）、ＡＳ（アクリロニトリル・スチレン共重合樹脂）等の白色の樹脂材料によって形成されている。
【００３２】
保持フレーム１８は、前後方向を向く横長の枠状に形成されたベース面部１９と、該ベース面部１９の左右両側縁からそれぞれ後方へ突出された側面部２０、２０と、ベース面部１９の下縁から後方へ突出された底面部２１とを有している。
【００３３】
ベース面部１９の内周縁には取付凹部１９ａが形成されている。
【００３４】
側面部２０、２０の外面にはそれぞれ外方へ突出された係止爪２０ａ、２０ａが設けられている。
【００３５】
ベース面部１９には、その外周寄りの部分から前方へ突出された突部２２が設けられている。突部２２は前後方向を向く矩形の枠状に形成された基部２３と該基部２３の外周縁から略後方へ突出された周面部２４とから成る。
【００３６】
基部２３の中央部には光源配置孔２３ａが形成されている。
【００３７】
周面部２４は後縁がベース面部１９の内周縁に連続されている。周面部２４は各４つの面部が後方へ行くに従って外方へ変位するように傾斜され、各４つの面部の内面がそれぞれ反射面２４ａ、２４ａ、・・・として形成されている。
【００３８】
ベース面部１９の後面にはそれぞれ後方へ突出された位置決め片２５、取付アーム２６、２６及び取付片２７が設けられている。位置決め片２５はベース面部１９の上端部の左右方向における中央部に設けられ、取付アーム２６、２６はベース面部１９の上端部の左右両端部に設けられ、取付片２７はベース面部１９の下端部に設けられている。
【００３９】
保持フレーム１８には、光源用基板２８が取り付けられる。光源用基板２８は部品実装面が前後方向を向いた状態で保持フレーム１８に取り付けられ後面の中央部に、例えば、発光ダイオード（ＬＥＤ：Light Emitting Device）等の光源２９が実装されている。光源用基板２８の前面には上下に離隔して第１のコネクター３０と第２のコネクター３１が実装されている。
【００４０】
光源用基板２８は上端部と下端部がそれぞれ位置決め片２５と取付片２７に突き当てられて位置決めされ、取付アーム２６、２６及び取付片２７に取り付けられる。光源用基板２８が保持フレーム１８に取り付けられた状態においては、光源２９が保持フレーム１８の基部２３に形成された光源配置孔２３ａに配置される（図５参照）。
【００４１】
保持フレーム１８には拡散部材３２が取り付けられる（図３乃至図５参照）。拡散部材３２は、例えば、アクリル樹脂に乳白色の材料が含有されて成り（図６参照）、横長の矩形状に形成された被取付枠部３３と、該被取付枠部３３の内側に位置された拡散部３４と、被取付枠部３３と拡散部３４を連結する連結部３５、３５、・・・とが一体に形成されて成る。
【００４２】
拡散部３４は後方に開口する椀状に形成され、開口面が円形とされ後方に開口する後側凹状部３４ａを有している。拡散部３４の前面には前方に開口された前側凹状部３４ｂが形成されている。
【００４３】
連結部３５、３５、・・・は被取付枠部３３の周方向において離隔して４つが設けられ、両端部が被取付枠部３３の内周縁と拡散部３４の外周縁に連続されている。
【００４４】
拡散部材３２は被取付枠部３３が取付凹部１９ａに嵌合されて保持フレーム１８に取り付けられる（図５参照）。拡散部材３２が保持フレーム１８に取り付けられた状態においては、拡散部３４及び連結部３５、３５、・・・が保持フレーム１８の反射面２４ａ、２４ａ、・・・に接した状態で配置される。拡散部材３２が保持フレーム１８に取り付けられた状態においては、拡散部３４の中央部と光源２９が表示パネル１５の中央部に前後方向において対応して位置され、光源２９は拡散部材３２の前側凹状部３４ｂに対向して位置される。このとき連結部３５、３５、・・・間には、保持フレーム１８の反射面２４ａ、２４ａ、・・・が露出した状態で位置される。
【００４５】
保持フレーム１８は支持ホルダー１１に取り付けられる（図３乃至図５参照）。保持フレーム１８は、図５に示すように、支持ホルダー１１の保持枠部１４の内側に表示パネル１５及びシート部材１７が配置された状態において、係止爪２０ａ、２０ａがそれぞれ結合用突片１３ｂ、１３ｂに係止されることにより支持ホルダー１１に取り付けられる。
【００４６】
保持フレーム１８が支持ホルダー１１に取り付けられた状態においては、表示パネル１５及びシート部材１７がそれぞれ支持ホルダー１１の取付部１３の前面と保持フレーム１８のベース面部１９の後面及び拡散部材３２の被取付枠部３３の後面とによって押さえられた状態で保持される。
【００４７】
保持フレーム１８が支持ホルダー１１に取り付けられた状態において、表示パネル１５に接続された接続基板１６が支持ホルダー１１の挿通用切欠１４ａから外方へ突出され光源用基板２８の第１のコネクター２７に接続される。
【００４８】
光源用基板２８の第２のコネクター２８には、光源用基板２８への電源の供給等を行うための接続線３６が接続される（図３及び図４参照）。
【００４９】
上記のように構成されたビューファインダー６において、光源２９から後方へ向けて光が出射されると、出射された光は拡散部材３２の拡散部３４に入射され、該拡散部３４において乱反射されて表示パネル１５へ向かう。従って、光源２９から出射された光は拡散部３４によって拡散されてシート部材１７の内側を通って表示パネル１５に前方から照射される。このとき一部の光は連結部３５、３５、・・・によっても拡散されて表示パネル１５へ向かう。
【００５０】
また、拡散部３４及び連結部３５、３５、・・・を透過した光の一部は、連結部３５、３５、・・・間に露出した状態で位置された反射面２４ａ、２４ａ、・・・へ向かう可能性もあるが、これらの光は反射面２４ａ、２４ａ、・・・で反射されて拡散され表示パネル１５へ向かう。
【００５１】
以上に記載した通り、ビューファインダー６にあっては、光源２９から出射された光が拡散部材３２で拡散されて表示パネル１５へ向かうため、表示パネル１５の一部の輝度が極端に高くなることがなく、輝度ムラの発生を防止することができる。
【００５２】
また、保持フレーム１８に拡散部材３２を取り付けることにより輝度ムラの発生が防止されるため、表示パネル１５と光源２９の間に輝度ムラの発生を防止するためのプリズムシートや拡散シート等の剛性の低いシート状の部材を配置する必要がなく、製造工程の簡素化による製造コストの低減を図ることができる。
【００５３】
さらに、発光ダイオード等の光源２９が元来有している色ムラが表示パネル１５に反映され難くなり、各撮像装置毎に行う色調整を省略することができる。
【００５４】
さらにまた、ビューファインダー６にあっては、保持フレーム１８を白色の材料によって形成しているため、光源２９から出射された光の反射面２４ａ、２４ａ、・・・における反射率が高く、表示パネル１５に照射される光の利用効率の向上を図ることができ、また、反射面２４ａ、２４ａ、・・・を形成するために保持フレーム１８の表面（内面）に反射用のコーティング等の処理を行う必要がなく製造コストの低減を図ることができる。
【００５５】
加えて、拡散部材３２に被取付枠部３３と拡散部３４を連結する複数の連結部３５、３５、・・・とを設けているため、拡散部３４の形状を被取付枠部３３の形状に即することなく自由に設計することが可能であり、設計の自由度の向上を図ることができる。
【００５６】
尚、上記したように、拡散部３４の中央部を表示パネル１５の中央部に対向して位置させることにより、輝度ムラの防止に関する効率化を図ることができる。
【００５７】
同様に、上記したように、光源２９を表示パネル１５の中央部に対向して位置させることによっても、輝度ムラの防止に関する効率化を図ることができる。
【００５８】
以下に、拡散部材の変形例について説明する（図７乃至図９参照）。
【００５９】
変形例に係る拡散部材３２Ａは、例えば、アクリル樹脂に乳白色の材料が含有されて成り、横長の矩形状に形成された被取付枠部３７と、該被取付枠部３７の内側に位置された拡散部３８と、被取付枠部３７と拡散部３８の間に位置する枠部３９と、被取付枠部３７と拡散部３８を連結する連結部４０、４０、・・・とが一体に形成されて成る。
【００６０】
拡散部３８は前後方向を向く円板状に形成された円板部３８ａと該円板部３８ａの前面における外周部から前方へ突出された円錐状の円錐部３８ｂとから成り、該円錐部３８ｂは頂点が最前方に位置する向きとされている。
【００６１】
枠部３９は外形が被取付枠部３７より一回り小さい横長の矩形状に形成され、後面が拡散部３８の後面と同一平面上に位置されている。
【００６２】
連結部４０、４０、・・・は被取付枠部３７の周方向において離隔して４つが設けられ、両端部が被取付枠部３７の内周縁と拡散部３８の円板部３８ａの外周縁に連続されている。連結部４０、４０、・・・はそれぞれ中間部が枠部３９に連続され、枠状取付部３７と枠部３９の間の部分が前方へ行くに従って内方へ変位するように傾斜された後側部４０ａ、４０ａ、・・・とされ、枠部３９と拡散部３８の間の部分が上下又は左右に延びる前側部４０ｂ、４０ｂ、・・・とされている。
【００６３】
拡散部材３２Ａは被取付枠部３７が取付凹部１９ａに嵌合されて保持フレーム１８に取り付けられる。拡散部材３２Ａが保持フレーム１８に取り付けられた状態においては、連結部４０、４０、・・・の後側部４０ａ、４０ａ、・・・が反射面２４ａ、２４ａ、・・・に接した状態で配置される。拡散部材３２Ａが保持フレーム１８に取り付けられた状態においては、拡散部３８の中央部と光源２９が表示パネル１５の中央部に前後方向において対応して位置され、光源２９は拡散部材３２Ａの円錐部３８ｂに対向して位置される。
【００６４】
光源２９から後方へ向けて光が出射されると、出射された光は拡散部３８に入射され、該拡散部３８において乱反射されて表示パネル１５へ向かう。従って、光源２９から出射された光は拡散部３８によって拡散されてシート部材１７の内側を通って表示パネル１５に前方から照射される。このとき一部の光は枠部３９及び連結部４０、４０、・・・によっても拡散されて表示パネル１５へ向かう。
【００６５】
また、光源２９から出射された一部の光は拡散部３８と枠部３９の間の空間を通って、直接表示パネル１５へ向かう。
【００６６】
さらに、光源２９から出射された光の一部は、反射面２４ａ、２４ａ、・・・で反射されて拡散され表示パネル１５へ向かう。
【００６７】
このように拡散部材３２Ａを用いた場合においても、光源２９から出射された光が拡散部材３２Ａで拡散されて表示パネル１５へ向かうため、表示パネル１５の一部の輝度が極端に高くなることがなく、輝度ムラの発生を防止することができる。
【００６８】
また、拡散部材３２Ａは被取付枠部３７と拡散部３８の間に枠部３９が設けられているため、その分、剛性が高く、拡散部材３２Ａの変形を防止することができる。
【００６９】
尚、本発明は、バックライト（光源）から出射された光を表示パネルに照射するタイプの各種の直視型の画像表示装置に適用することが可能である。
【００７０】
また、本発明は、拡散部材３２、３２Ａの被取付枠部３３、３７の縦横比を任意に変更することが可能であり、縦横比が、例えば、９：１６等の所謂ワイド画面を用いた場合においても、輝度ムラの発生を効果的に防止することができる。
【００７１】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００７２】
【図１】図２乃至図９と共に本発明の最良の形態を示すものであり、本図は、ビューファインダーが設けられた撮像装置の斜視図である。
【図２】ビューファインダーを本体部と装着部を分離した状態で示す斜視図である。
【図３】ビューファインダーの一部を示す分解斜視図である。
【図４】図３とは別の方向から見た状態で示すビューファインダーの一部を示す分解斜視図である。
【図５】要部の拡大水平断面図である。
【図６】要部の拡大垂直断面図である。
【図７】図８及び図９と共に拡散部材の変形例を示すものであり、本図は、拡散部材の拡大斜視図である。
【図８】拡散部材の拡大水平断面図である。
【図９】拡散部材が取り付けられた状態を示す拡大断面図である。
【符号の説明】
【００７３】
１…撮像装置、６…ビューファインダー、１５…表示パネル、１８…保持フレーム、２４ａ…反射面、２８…光源用基板、２９…光源、３２…拡散部材、３３…被取付枠部、３４…拡散部、３５…連結部、３２Ａ…拡散部材、３７…被取付枠部、３８…拡散部、４０…連結部
【図１】
2008109356.tif 000003
【図２】
2008109356.tif 000004
【図３】
2008109356.tif 000005
【図４】
2008109356.tif 000006
【図５】
2008109356.tif 000007
【図６】
2008109356.tif 000008
【図７】
2008109356.tif 000009
【図８】
2008109356.tif 000010
【図９】
2008109356.tif 000011